(57)【要約】【課題】強烈な風雨が作物栽培空間に負荷されても、作物栽培空間形成用のアーチ形骨格支柱の揺動を抑制して強固に保持することが可能なアーチ形骨格支柱の固定保持具を提供する。【解決手段】  作物栽培畝１を幅方向で跨ぎ、かつ作物栽培畝１の長手方向に所定の間隔を隔てて一対の下端アンカー部２０を土壌３に挿入して立設するとともに、樹脂シート４が被覆して保持される作物栽培空間６形成用のアーチ形骨格支柱２を固定保持するアーチ形骨格支柱の固定保持具７であって、アーチ形骨格支柱２の各下端アンカー部２０直上の裾部分２２の弾性抱持が可能な抱持部８と、この抱持部８の下端外周域に拡大連設されて接地する接地ベース部９とを備え、接地ベース部９には、抱持部８を裾部分２２に弾性抱持可能に導く通路１１が切欠形成されている。【選択図】          図８
0003161743.tif 000002
【実用新案登録請求の範囲】
【請求項１】
作物栽培畝を幅方向で跨ぎ、かつ該作物栽培畝の長手方向に所定の間隔を隔てて一対の下端アンカー部を土壌に挿入して立設するとともに、樹脂シートが被覆して保持される作物栽培空間形成用のアーチ形骨格支柱を固定保持するアーチ形骨格支柱の固定保持具であって、
前記アーチ形骨格支柱の各下端アンカー部直上の裾部分の弾性抱持が可能な抱持部と、この抱持部の下端外周域に拡大連設されて接地する接地ベース部とを備え、該接地ベース部には、前記抱持部を前記裾部分に弾性抱持可能に導く通路が切欠形成されていることを特徴とするアーチ形骨格支柱の固定保持具。
【請求項２】
請求項１に記載したアーチ形骨格支柱の固定保持具において、
前記抱持部に、該抱持部の弾性抱持力を補強する弾性クリップが取り付けられているアーチ形骨格支柱の固定保持具。
【請求項３】
請求項１に記載したアーチ形骨格支柱の固定保持具において、
前記接地ベース部の投影平面形状は、前記通路が切欠形成された正方形であり、かつその中心を通る縦軸線を前記抱持部の縦軸線として共用しているとともに、接地ベース部は、前記通路が作物栽培畝の長手軸線に直交し、かつ該作物栽培畝に指向させて接地されるアーチ形骨格支柱の固定保持具。
【請求項４】
請求項１に記載したアーチ形骨格支柱の固定保持具において、
前記接地ベース部の投影平面形状は、前記通路が切欠された正円形であり、かつその中心を通る縦軸線を前記抱持部の縦軸線として共用しているとともに、接地ベース部は、前記通路が作物栽培畝の長手軸線に直交し、かつ該作物栽培畝に指向させて接地されるアーチ形骨格支柱の固定保持具。
【考案の詳細な説明】
【技術分野】
【０００１】
本考案は、アーチ形骨格支柱の固定保持具に係り、より詳しくは、作物栽培畝を跨ぎ、かつ該作物栽培畝の長手方向に所定の間隔を隔てて下端アンカー部が土壌に挿入して立設されるとともに、樹脂シートが被覆される作物栽培空間形成用のアーチ形骨格支柱の揺動を抑制して強固に保持するアーチ形骨格支柱の固定保持具に関するものである。
【背景技術】
【０００２】
従来、図１０，図１１に示すように、作物栽培畝１を幅方向（矢印Ｗ）で跨ぎ、かつ作物栽培畝１長手方向（矢印Ｌ）に所定の間隔ｌを隔てて、アーチ状に屈曲したアーチ形骨格支柱２の下端アンカー部２０を土壌３に挿入して立設するとともに、各アーチ形骨格支柱２にビニールシートなどの樹脂シート４を被覆し、この樹脂シート４を複数の止着部材５によってアーチ形骨格支柱２のアーチ部２１に止着して構成したビニールトンネルと称せられる作物栽培空間６はよく知られている。
【０００３】
前記作物栽培空間６は、野菜や花などの栽培作物が強烈な寒気や風雨などに晒されるのを防ぐともに温室効果を高めることでなどで栽培作物の促成に寄与する効果を発揮する。
【先行技術文献】
【特許文献】
【０００４】
【特許文献１】特になし
【考案の概要】
【考案が解決しようとする課題】
【０００５】
ところが、従来の作物栽培空間６形成用のアーチ形骨格支柱２は、その下端アンカー部２０を土壌３に挿入して、下端アンカー部２０の外周面と土壌３との間に生じる摩擦力によって立設状態を維持している構造であるため、高い立設強度を期待することができない。そのため、強烈な風雨が樹脂シート４に負荷されて樹脂シート４がばたつくと、アーチ形骨格支柱２は作物栽培畝１の長手方向（矢印Ｌ）と幅方向（矢印Ｗ）およびこれらの複合方向に揺動し、この揺動が下端アンカー部２０に伝達されて、該下端アンカー２０を小刻みに前記長手方向と幅方向およびこれらの複合方向に揺動させることになる。これにより、下端アンカー部２０の外周面と土壌３との間に隙間が生じて密着状態が損なわれ、下端アンカー部２０の外周面と土壌３との間の摩擦力が低下して、下端アンカー部２０が土壌３から抜け出たり、あるいは作物栽培畝１の長手方向に傾倒することなどにより作物栽培空間６が倒壊するおそれを有している。
【０００６】
本考案は上記の実情に鑑みてなされたものであって、強烈な風雨が作物栽培空間に負荷されても、作物栽培空間形成用のアーチ形骨格支柱の揺動を抑制して強固に保持することが可能なアーチ形骨格支柱の固定保持具の提供を目的とするものである。
【課題を解決するための手段】
【０００７】
前記目的を達成するために、本考案に係るアーチ形骨格支柱の固定保持具は、作物栽培畝を幅方向で跨ぎ、かつ該作物栽培畝の長手方向に所定の間隔を隔てて一対の下端アンカー部を土壌に挿入して立設するとともに、樹脂シートが被覆して保持される作物栽培空間形成用のアーチ形骨格支柱を固定保持するアーチ形骨格支柱の固定保持具であって、
前記アーチ形骨格支柱の各下端アンカー部直上の裾部分の弾性抱持が可能な抱持部と、この抱持部の下端外周域に拡大連設されて接地する接地ベース部とを備え、該接地ベース部には、前記抱持部を前記裾部分に弾性抱持可能に導く通路が切欠形成されていることを特徴としている。
【０００８】
前記構成のアーチ形骨格支柱の固定保持具によれば、抱持部の作物栽培畝の長手方向と幅方向およびこれらを複合した方向の揺動は、該抱持部の下端外周域に拡大連設された接地ベース部が地面に接地していることによって抑制される。このように、作物栽培畝の長手方向と幅方向およびこれらを複合した方向の揺動が抑制される抱持部によって、アーチ形骨格支柱の各下端アンカー部直上の裾部分が弾性抱持されているので、強烈な風雨が樹脂シートに負荷されて樹脂シートがばたついても、作物栽培畝の長手方向と幅方向およびこれらを複合した方向へのアーチ形骨格支柱の揺動を確実に抑制することが可能である。これにより、下端アンカー部の外周面と土壌との間の密着状態が維持されて、下端アンカー部の外周面と土壌との間の摩擦力低下を避けることができるので、下端アンカー部の土壌からの脱抜や作物栽培畝の長手方向への傾倒などが阻止されて、作物栽培空間の倒壊を確実に回避することができる。
【０００９】
また、本考案に係るアーチ形骨格支柱の固定保持具は、前記抱持部に、該抱持部の弾性抱持力を補強する弾性クリップを取り付けることが望ましい。これによれば、弾性クリップにより弾性抱持力が補強された抱持部によって、アーチ形骨格支柱の下端アンカー部直上の裾部分を一層強固に弾性抱持できるので、アーチ形骨格支柱の作物栽培畝の長手方向と幅方向およびこれらを複合した方向の揺動抑制効果を高めることができる。
【００１０】
さらに、本考案に係るアーチ形骨格支柱の固定保持具は、前記接地ベース部の投影平面形状は、前記通路が切欠形成された正方形であり、かつその中心を通る縦軸線を前記抱持部の縦軸線として共用しているとともに、接地ベース部は、前記通路が作物栽培畝の長手軸線に直交し、かつ該作物栽培畝に指向させて接地される。
【００１１】
これによると、接地ベース部の接地によって生じる抱持部の揺動抑制力を、作物栽培畝の長手方向と幅方向の両方向に均等に働かせて、抱持部が作物栽培畝の長手方向および幅方向に揺動するのを有効に抑制することができるとともに、接地ベース部の接地によって生じる抱持部の揺動抑制力は、長手方向および幅方向よりも長手方向と幅方向との複合方向の方が強いので、抱持部が作物栽培畝の長手方向と幅方向との複合方向に揺動するのをより一層有効に抑制することができる。したがって、強烈な風雨が樹脂シートに負荷されて樹脂シートがばたついても、作物栽培畝の長手方向と幅方向およびこれらを複合した方向へのアーチ形骨格支柱の揺動を確実に抑制することが可能である。
【００１２】
また、本考案に係るアーチ形骨格支柱の固定保持具は、前記接地ベース部の投影平面形状は、前記通路が切欠された正円形であり、かつその中心を通る縦軸線を前記抱持部の縦軸線として共用しているとともに、接地ベース部は、前記通路が作物栽培畝の長手軸線に直交し、かつ該作物栽培畝に指向させて接地される。
【００１３】
これによると、接地ベース部の接地によって生じる抱持部の揺動抑制力を、作物栽培畝の長手方向と幅方向およびこれらを複合した方向に均等に働かせて、抱持部が作物栽培畝の長手方向と幅方向およびこれらを複合した方向に揺動するのを有効に抑制することができる。したがって、強烈な風雨が樹脂シートに負荷されて樹脂シートがばたついても、作物栽培畝の長手方向と幅方向およびこれらを複合した方向へのアーチ形骨格支柱の揺動を確実に抑制することが可能である。
【考案の効果】
【００１４】
本考案に係るアーチ形骨格支柱の固定保持具は、強烈な風雨が作物栽培空間に負荷されても、作物栽培空間形成用のアーチ形骨格支柱の揺動を抑制して強固に保持することが可能である。これにより、下端アンカー部の外周面と土壌との間の密着状態が維持されて、下端アンカー部の外周面と土壌との間の摩擦力低下を避けることができるので、下端アンカー部の土壌からの脱抜や作物栽培畝の長手方向への傾倒などが阻止されて、作物栽培空間の倒壊を確実に回避することができる。
【図面の簡単な説明】
【００１５】
【図１】本考案に係るアーチ形骨格支柱の固定保持具の一実施形態を示す正面図である。
【図２】図１の背面図である。
【図３】仮想線で示す弾性クリップの取付け状態を示す図１の右側面図である。
【図４】図１の平面図である。
【図５】図１のＶ−Ｖ線断面図である。
【図６】図１のＶＩ−ＶＩ線断面図である。
【図７】弾性クリップの一例を示す斜視図である。
【図８】固定保持具によりアーチ形骨格支柱の一方の裾部分を弾性抱持して固定保持した状態を示す説明図である。
【図９】アーチ形骨格支柱の固定保持具の他の実施形態を示す平面図である。
【図１０】作物栽培空間の一例を示す斜視図である。
【図１１】従来のアーチ形骨格支柱の立設構造を示す拡大断面図である。
【考案を実施するための形態】
【００１６】
以下、本考案に係るアーチ形骨格支柱の固定保持具の好ましい実施形態を図面に基づいて説明する。図１は本考案に係るアーチ形骨格支柱の固定保持具の一実施形態を示す正面図、図２は図１の背面図、図３は仮想線で示す弾性クリップの取付け状態を示す図１の右側面図、図４は図１の平面図、図５は図１のＶ−Ｖ線断面図、図６は図１のＶＩ−ＶＩ線断面図である。なお、図１０，図１１と同一部分には、同一符号を付して説明する。
【００１７】
図１〜図６に示すアーチ形骨格支柱の固定保持具（以下の説明では、固定保持具という）７は、図１０，図１１に示す作物栽培畝１を幅方向（矢印Ｗ）で跨ぎ、かつ該作物栽培畝１の長手方向（矢印Ｌ）に所定の間隔ｌを隔てて一対の下端アンカー部２０を土壌３に挿入して立設するとともに、樹脂シート４が被覆して保持される作物栽培空間６形成用のアーチ形骨格支柱２を固定保持するためのものである。
【００１８】
図１〜図６に示す固定保持具７は、一体成形されたポリエチレン樹脂製のもので、アーチ形骨格支柱２の各下端アンカー部２０直上の裾部分２２、つまり、図１０，図１１のアーチ部２１と下端アンカー部２０の間にある裾部分２２（図８および図１０，図１１参照）の弾性抱持が可能な抱持部８と、この抱持部８の下端外周域に拡大連設されて接地する接地ベース部９とを備えている。
【００１９】
抱持部８は断面形状が馬蹄形で、その正面部には鉛直にのびる開口８ａが形成された欠円筒状を呈しており、内外径が上下方向で一様な主体部８ｂと、該主体部８ｂの下側に連設されて接地ベース部９に連なるスカート部８ｃとを有し、スカート部８ｃは、その内外幅寸法および開口８ａの幅寸法が接地ベース部９に向かって漸次拡大している。また、主体部８ｂの外周面には、上下方向の間隔を隔てて後述する弾性クリップが自己の弾性復帰によって係合して取り付けられる上下一対のクリップ係合突起１０が突設されている。
【００２０】
各クリップ係合突起１０は、主体部８ｂの正面部両側に突設された投影側面形状が三角形を呈する左右一対の係合突起１０ａと、主体部８ｂの主として背面の外周を水平かつ半円弧状に取り巻く半円弧溝１０ｂとからなる。
【００２１】
接地ベース部９は、その投影平面形状が前記抱持部８の投影平面形状よりも格段に大きい正方形を呈して接地面積を拡大しており、抱持部８におけるスカート部８ｃ正面部の開口８ａに連なる通路１１が切欠形成されている。そして、接地ベース部９の中心Ｏを通る縦軸線Ｃ１を前記抱持部８の縦軸線Ｃ２として共用している。なお、接地ベース部９の四隅および通路１１の入口は、それぞれ面取りされている。
【００２２】
図７は弾性クリップの一例を示す斜視図である。図７において、弾性クリップ１２は、スプリング鋼線などの高弾性金属線を塑性加工により投影平面形状を馬蹄形に成形したものであり、左右両側先端部の三角頭部１２ａと、各三角頭部１２ａを連繋する半円弧状の連繋部１２ｂとを備える。
【００２３】
前記構成の固定保持具７によって、作物栽培空間６形成用の各アーチ形骨格支柱２を固定保持する手順について説明する。
【００２４】
まず、図７の弾性クリップ１２を図３の二点鎖線で示すように、固定保持具７における抱持部８に突設されている上下一対のクリップ係合突起１０に係合して取り付ける。この取り付けは、左右両側先端部の三角頭部１２ａを抱持部８の背面側から左右一対の係合突起１０ａに指向させた姿勢で弾性クリップ１２を正面側に向けて押し込むことで、弾性クリップ１２は一旦弾性拡開されたのちに、三角頭部１２ａが左右一対の係合突起１０ａに係合して弾性復帰するとともに、半円弧状の連繋部１２ｂが半円弧溝１０ｂ内に係合することによって完了する。なお、弾性クリップ１２を抱持部８の背面側から正面側へ向けての押し込みは、左右一対の係合突起１０ａの表面を抱持部８の背面側から正面側に向かって上がり勾配で傾斜させている（図２、図４、図５参照）ことによって容易に実行することができる。
【００２５】
つぎに、一対の弾性クリップ１２が取り付けられた固定保持具７における抱持部８の開口８ａを、アーチ形骨格支柱２の各下端アンカー部２０直上の裾部分２２および作物栽培畝１に向けて対向させ、この状態で開口８ａに各下端アンカー部２０直上の裾部分２２を押し込むことで、固定保持具７は、図３および図８に示すように、抱持部８により裾部分２２を弾性抱持するとともに、接地ベース部９は、その通路１１が作物栽培畝１の長手軸線Ｃ３（図１０参照）に直交し、かつ該作物栽培畝１に指向させて接地した状態でアーチ形骨格支柱２における各下端アンカー部２０直上の裾部分２２を固定保持する。
【００２６】
前記固定保持具７によれば、その抱持部８の作物栽培畝１の長手方向（矢印Ｌ）と幅方向（矢印Ｗ）およびこれらを複合した方向の揺動は、該抱持部８の下端外周域に拡大連設された接地ベース部９が土壌３に接地していることによって抑制される。このように、作物栽培畝１の長手方向と幅方向およびこれらを複合した方向の揺動が抑制される抱持部８によって、アーチ形骨格支柱２の各下端アンカー部２０直上の裾部分２２が弾性抱持されているので、強烈な風雨が樹脂シート４に負荷されて樹脂シート４がばたついても、作物栽培畝１の長手方向と幅方向およびこれらを複合した方向へのアーチ形骨格支柱２の揺動を確実に抑制することが可能である。これにより、各下端アンカー部２０の外周面と土壌３との間の密着状態が維持されて、各下端アンカー部２０の外周面と土壌３との間の摩擦力低下を避けることができるので、各下端アンカー部２０の土壌３からの脱抜や作物栽培畝１の長手方向への傾倒などが阻止されて、作物栽培空間６の倒壊を確実に回避することができる。
【００２７】
また、固定保持具７は、その抱持部８に、抱持部８の弾性抱持力を補強する弾性クリップ１２が取り付けられているので、弾性クリップ１２により弾性抱持力が補強された抱持部８によって、アーチ形骨格支柱２の下端アンカー部２０直上の裾部分２２を一層強固に弾性抱持できる。そのため、アーチ形骨格支柱２の作物栽培畝１の長手方向と幅方向およびこれらを複合した方向の揺動抑制効果を高めることができる。
【００２８】
さらに、固定保持具７における接地ベース部９の投影平面形状は、通路１１が切欠形成された正方形であり、かつその中心Ｏを通る縦軸線Ｃ１を抱持部８の縦軸線Ｃ２として共用しているとともに、通路１１を作物栽培畝１の長手軸線Ｃ３に直交させ、かつ該作物栽培畝１に指向させて接地させていることによって、接地ベース部９の接地によって生じる抱持部８の揺動抑制力を、作物栽培畝１の長手方向と幅方向の両方向に均等に働かせて、抱持部８が作物栽培畝１の長手方向および幅方向に揺動するのを有効に抑制することができるとともに、接地ベース部９の接地によって生じる抱持部８の揺動抑制力は、長手方向および幅方向よりも長手方向と幅方向との複合方向の方が強いので、抱持部８が作物栽培畝１の長手方向と幅方向との複合方向に揺動するのをより一層有効に抑制することができる。したがって、強烈な風雨が樹脂シート４に負荷されて樹脂シート４がばたついても、作物栽培畝１の長手方向と幅方向およびこれらを複合した方向へのアーチ形骨格支柱２の揺動を確実に抑制することが可能である。
【００２９】
図９は固定保持具７の他の実施形態を示す平面図である。図９に示す固定保持具７は、その接地ベース部９の投影平面形状が前記抱持部８の投影平面形状よりも格段に大きい正円形を呈して接地面積を拡大しており、抱持部８におけるスカート部８ｃ正面部の開口８ａに連なる通路１１が切欠形成されている。そして、接地ベース部９の中心Ｏを通る縦軸線Ｃ１を前記抱持部８の縦軸線Ｃ２として共用しているとともに、接地ベース部９は、通路１１が作物栽培畝１の長手軸線Ｃ３（図１０参照）に直交し、かつ該作物栽培畝１に指向させて接地した状態でアーチ形骨格支柱２における各下端アンカー部２０直上の裾部分２２を固定保持する。なお、図４の固定保持具７と同一部分には、同一符号を付して重複する構造説明は省略する。
【００３０】
このように構成された固定保持具７は、その接地ベース部９の接地によって生じる抱持部８の揺動抑制力を、作物栽培畝１の長手方向と幅方向およびこれらを複合した方向に均等に働かせて、抱持部８が作物栽培畝１の長手方向と幅方向およびこれらを複合した方向に揺動するのを有効に抑制することができる。したがって、強烈な風雨が樹脂シート４に負荷されて樹脂シート４がばたついても、作物栽培畝１の長手方向と幅方向およびこれらを複合した方向へのアーチ形骨格支柱２の揺動を確実に抑制することが可能である。
【００３１】
なお、前記実施形態では、抱持部８を内外径が上下方向で一様な主体部８ｂと、内外幅寸法および開口８ａの幅寸法が接地ベース部９に向かって漸次拡大しているスカート部８ｃとからなる構成で説明しているが、内外径が上下方向で一様で、その正面部には鉛直にのびる開口８ａが形成された欠円筒状を呈する主体部８ｂのみで抱持部８を構成してもよい。
【産業上の利用可能性】
【００３２】
作物栽培畝を跨ぎ、かつ該作物栽培畝の長手方向に所定の間隔を隔てて下端アンカー部が土壌に挿入して立設されるとともに、樹脂シートが被覆されるビニールトンネルと称せられる作物栽培空間形成用のアーチ形骨格支柱の揺動を抑制して強固に保持する。
【符号の説明】
【００３３】
１  作物栽培畝
２  アーチ形骨格支柱
３  土壌
４  樹脂シート
６  作物栽培空間
７  アーチ形骨格支柱の保持具
８  抱持部
９  接地ベース部
１１  通路
１２  弾性クリップ
２０  アーチ形骨格支柱の下端アンカー部
２２  アーチ形骨格支柱の裾部分
Ｃ１  接地ベース部の縦軸線
Ｃ２  抱持部の縦軸線
Ｃ３  作物栽培畝の長手軸線
Ｏ  接地ベース部の中心
Ｌ  長手方向
Ｗ  幅方向
ｌ  長手方向の間隔
【図１】
0003161743.tif 000003
【図２】
0003161743.tif 000004
【図３】
0003161743.tif 000005
【図４】
0003161743.tif 000006
【図５】
0003161743.tif 000007
【図６】
0003161743.tif 000008
【図７】
0003161743.tif 000009
【図８】
0003161743.tif 000010
【図９】
0003161743.tif 000011
【図１０】
0003161743.tif 000012
【図１１】
0003161743.tif 000013